(57)【要約】      （修正有）【課題】様々な物品を簡単かつ確実に装飾することができる装飾シートを提供する。【解決手段】装飾シート１は、第１のシート１０と、第１のシート１０の表面に設けられた複数のストーン２０と、第１のシート１０の裏面に設けられた接着部材と、第１のシート１０の裏面に接着部材を介して剥離可能に設けられた第２のシート４０とを備える。ストーン２０は、互いに所定の間隔で並ぶことにより文字、数字、記号あるいは図形Ｄを構成する。【選択図】図１
0003190698.tif 000002
【実用新案登録請求の範囲】
【請求項１】
第１のシートと、
前記第１のシートの表面に設けられた複数のストーンと、
前記第１のシートの裏面に設けられた接着部材と、
前記第１のシートの裏面に前記接着部材を介して剥離可能に設けられた第２のシートとを備え、
前記ストーンは、互いに所定の間隔で並ぶことにより文字、数字、記号あるいは図形を構成することを特徴とする装飾シート。
【請求項２】
前記第１のシートは、表面に粒子状の光沢を有するグリッターシートである請求項１に記載の装飾シート。
【請求項３】
前記ストーンは、熱圧着により前記第１のシートの表面に設けられた請求項１または請求項２に記載の装飾シート。
【請求項４】
前記接着部材は、一方面が前記第１のシートに接着され、且つ他方面が前記第２のシートに接着された両面テープであり、前記第２のシートは合成樹脂製のフィルム素材からなる請求項１から請求項３のいずれかに記載の装飾シート。
【考案の詳細な説明】
【技術分野】
【０００１】
本考案は、各種商品や内装などに付されることによって装飾性を向上させる装飾シートに関するものである。
【背景技術】
【０００２】
従来、物品を装飾する装飾シートとして特許文献１のような装飾シートが知られている。
【０００３】
特許文献１の装飾シートは、上側に配置される透明又は半透明の第１のシートと、 下側に配置される第２のシートと、前記第１のシートと前記第２のシートの間に配置され、前記第１のシートおよび前記第２のシートに仮留め的に貼着している複数のストーンとからなり、前記第１のシートおよび前記第２のシートの間において複数の前記ストーンによりキャラクタの図柄が構成された装飾シートであって、前記ストーンは、金属製のストーン本体と、該ストーン本体の表面に塗布された塗装層と、該ストーン本体の裏面に設けられた熱圧着用の粘着層とからなることを特徴とする装飾シートである。
【０００４】
この装飾シートを使用するに際し、装飾シートから第２のシートを指先などを利用しながら丁寧に剥がし、次に、第１のシートを上側にした状態で物品表面の所定箇所に載置したあと、第１のシートの上側からアイロン等により熱を加えながら圧して、当該熱と圧力によりストーンの粘着層を液化させて物品表面に熱圧着させたあと、自然冷却により固化させて、物品表面を装飾する。
【先行技術文献】
【特許文献】
【０００５】
【特許文献１】実用新案登録第３１６４５７８号
【考案の概要】
【考案が解決しようとする課題】
【０００６】
しかしながら、上記装飾シートでは、使用の際に第１のシートの上側からアイロン等により熱を加えながら圧して、当該熱と圧力によりストーンの粘着層を液化させて物品表面に熱圧着させるため、装飾できる物品が主に被服等に限られていた。
【０００７】
本考案は、上述の技術的背景に鑑みてなされたものであり、様々な種類の物品を簡単かつ確実に装飾することができる装飾シートを提供することを目的とする。
【課題を解決するための手段】
【０００８】
本考案は、上記目的を達成するために、第１のシートと、前記第１のシートの表面に設けられた複数のストーンと、前記第１のシートの裏面に設けられた接着部材と、前記第１のシートの裏面に前記接着部材を介して剥離可能に設けられた第２のシートとを備え、前記ストーンは、互いに所定の間隔で並ぶことにより文字、数字、記号あるいは図形を構成することを特徴とする。
【０００９】
これによれば、第１のシートから第２のシートを剥離し、露出した接着部材を物品の表面に押し当てることにより、第１のシートを物品の表面に貼着することができ、第１のシートの表面に配置された複数のストーンにより物品を簡単かつ確実に装飾することが可能となる。しかも、第１のシートを物品の表面に貼着する際に熱を加えないため、耐熱性の乏しい物品など、様々の物品を装飾することができる。
【００１０】
また、前記第１のシートは、表面に粒子状の光沢を有するグリッターシートであるのが好ましい。これによれば、該光沢部を背景として複数のストーンにより構成された図形等が強調されるため、装飾シートの装飾性を高めることができる。
【００１１】
また、前記ストーンは、熱圧着により前記第１のシートの表面に設けられるのが好ましい。これによれば、複数のストーンを第１のシートの表面に簡単かつ確実に設けることができる。
【００１２】
また、前記接着部材は、一方面が前記第１のシートに接着され、且つ他方面が前記第２のシートに接着された両面テープであり、前記第２のシートは合成樹脂製のフィルム素材からなる。これによれば第１のシートから第２のシートを容易に剥離することができる。
【考案の効果】
【００１３】
本考案によれば、第１のシートから第２のシートを剥離し、露出した接着部材を物品の表面に押し当てることにより、第１のシートを物品の表面に貼着することができ、第１のシートの表面に配置された複数のストーンにより物品を簡単かつ確実に装飾することが可能となる。また、第１のシートを物品の表面に貼着する際に熱を加えないため、耐熱性の乏しい物品など、様々な物品を装飾することができる。さらに、従来の装飾シートは被服業界や雑貨業界でしか使用されてこなかったが、イベント会場での内装の装飾、オリンピックなどのスポーツ競技会場での各国の国旗としてのイメージ、テレビに映る背景の装飾、店舗での集客用の看板などにも適用可能である。
【図面の簡単な説明】
【００１４】
【図１】装飾シートの正面図である。
【図２】図１の装飾シートの断面図である。
【図３】図１の装飾ストーンの要部拡大断面図である。
【図４】装飾シートの作成方法を説明するための概略工程図である。
【図５】装飾シートの使用例を示す図である。
【考案を実施するための形態】
【００１５】
次に、本考案の一実施形態について図１〜図５を参照しつつ説明する。
【００１６】
装飾シート１は、図１および図２に示すように、第１のシート１０と、第１のシート１０の表面に設けられた複数のストーン２０と、第１のシート１０の裏面に設けられた接着部材３０と、第１のシート１０の裏面に接着部材３０を介して剥離可能に設けられた第２のシート４０とを備える。
【００１７】
前記第１のシート１０は、合成樹脂製のグリッターシートである。この第１のシート１０は、表面に反射率の高い多数の微細粒子が設けられている。これにより第１のシートの表面が粒子状の光沢を有することとなり、装飾シート１の装飾性が向上する。
【００１８】
また、前記第１のシート１０は、後述するように装飾シート１の作成の際に表面側（上側）からアイロン等により熱が加わるため、耐熱性の素材からなる。また、第１のシート１０は可撓性を有しおり、表面が平面状の物品だけでなく表面が曲面状のワインボトルなどの物品Ｂにも容易に貼着することができる。
【００１９】
また、前記第１のシート１０は、図１に示すように、ストーン２０が構成する後述のキャラクタの図形Ｄの輪郭から外側に一定長さＬだけ離れた輪郭を有する。これにより、第１のシート１０の輪郭がキャラクタの図形Ｄに合致したデザイン性を有するものとなり、装飾シート１の装飾性が向上する。
【００２０】
前記ストーン２０は、第１のシート１０の表面において、互いに所定の間隔で並ぶことによりキャラクタの図形Ｄを構成する。本実施例では、図２に示すように、耳にリボンを付けた動物のキャラクタの図形Ｄを構成している。ストーン２０の個数、配置箇所、色、大きさ、および形状は、特に限定されるものではなく、キャラクタの図形Ｄに応じて適宜選択される。なお、ストーン２０は、合成樹脂、ガラス、あるいは金属などからなる。
【００２１】
また、ストーン２０は、熱圧着により前記第１のシートの表面に設けられる。具体的には、図３に示すように、ストーン２０の裏面にホットメルト接着層２１が塗布されており、ストーン２０がホットメルト接着層２１を介して第１のシート１０の表面に熱圧着されている。
【００２２】
前記接着部材３０は、第１のシート１０と第２のシート４０を接着するための両面テープである。具体的には、この接着部材３０は、一方面に第１の接着層３１が形成され、該第１の接着層３１を介して第１のシート１０に貼着されている。また、接着部材３０は、多方面に第２の接着層３２が形成され、該第２の接着層３２を介して第２のシート４０に貼着されている。
【００２３】
前記第２のシート４０は、第１のシート４０の裏面に接着部材３０を介して剥離可能に設けられた台紙である。この第２のシート４０は、接着部材３０から剥離容易な矩形状の合成樹脂製のフィルム素材からなる。
【００２４】
次に、上記装飾シート１の作成方法の一例について図４を参照しつつ説明する。
【００２５】
[１]  まず、両面テープである接着部材３０の一方の図示略の剥離材を剥がすことにより第１の接着層３１を露出させ、接着部材３０を第１の接着層３１を介して第１のシート１０の裏面に貼着する。
【００２６】
[２]  図４（ａ）に示すように、裏面にストーン４０が仮止め的に配置された耐熱粘着シート５０と第１のシート１０の位置合わせを行い、耐熱粘着シート５０の裏面と第１のシート１０の表面を密着させる。そして、耐熱粘着シート５０の表面側をアイロン等により熱を加えながら押圧する。これによりホットメルト接着層２１が液化し、ストーン２０がホットメルト接着層２１を介して第１のシート１０の表面に熱圧着される。
【００２７】
[３]  図４（ｂ）に示すように、第１のシート１０から耐熱粘着シート５０を剥離すると、第１のシート１０の表面にストーン４０が設けられた状態となる。このストーン４０は、互いに所定の間隔で並ぶことによりキャラクタの図形Ｄを構成している。
【００２８】
［４］図４（ｃ）に示すように、キャラクタの図形Ｄの輪郭に沿って距離Ｌだけ離して第１のシート１０を切り抜ぬくと、キャラクタの図形Ｄの輪郭に沿った形状の第１のシート４０が完成する。
【００２９】
［５］図４（ｄ）に示すように、両面テープである接着部材３０の他方の図示略の剥離材を剥がして第２の接着層３２を露出させ、接着部材３０を第２の接着層３２を介して第２のシート４０の表面に貼着する。あとは、装飾シート１が所定の袋に封入されて出荷される。
【００３０】
而して、装飾シート１の使用に際しては、装飾シート１から第２のシート４０を剥離して、両面テープである接着部材３０の第２の接着層３２を露出させたあと、該第２の接着層３２を物品Ｂの表面に押し当てることにより、装飾シート１を物品Ｂの表面に貼着する。このとき、装飾シート１は、図５に示すように、ワインボトルのほか、スマートフォンなど電子機器の筺体、ペンケースなどの文具、かばんなどの雑貨、被服などの衣料品など、様々な物品に貼着することができる。
【００３１】
また、一度に大量のストーン４０を第１のシート１０に接着できるので、従来のようにストーンを１個づつという作業をせずに、熱圧着等のプレスを行うことで１度に多数（例えば数千個も可能）のストーン４０を第１のシート１０に接着することができ、効率的にストーン４０が設けられた装飾シート１を作製することが可能となる。これにより従来の方法ではコストがかかっており、事実上、小さいサイズの装飾シートしか作製することができなかったが、本方法によると大きいサイズの装飾シートを低コストで作製することができる。しかも、それらの装飾シートを互いにつなぎ合わせることにより、極めて大きなサイズの装飾シートを作製することができる。
【００３２】
また、装飾シートを内装に使用する場合、内装業者等が装飾シート１から第２のシート４０を剥がして、壁面やボードの所望箇所に装飾シート１を貼り付けるだけで、壁面やボードを簡単かつ確実に装飾することができる。このため、従来の装飾シートは被服業界や雑貨業界でしか使用されてこなかったが、イベント会場での内装の装飾、オリンピックなどのスポーツ競技会場での各国の国旗としてのイメージ、テレビに映る背景の装飾、店舗での集客用の看板などにも適用可能である。
【００３３】
なお、本実施形態では、接着部材３０として両面テープを用いたが、その他の接着部材であってもよい。
【００３４】
また、装飾シート１の作成方法は上述のものに限定されるものではなく、その他の作成方法であってもよい。
【００３５】
また、第１のシート１０は、表面に粒子状の光沢を有するグリッターシートであるとしたが、例えば、表面が光沢を有さず無模様のシートなどその他のシートであってもよい。
【００３６】
また、第２のシート３０は、フィルム素材で形成されているものとしたが、例えば、その他の素材で形成されてもよい。
【００３７】
また、ストーン２０は、キャラクタの図形Ｄを構成するものとしたが、その他の図形を構成したり、あるいは文字、数字又は記号を構成してもよい。
【００３８】
また、ストーン２０は、ホットメルト接着層２１を介して第１のシート１０の表面に熱圧着されたが、その他の方法により第１のシート１０の表面に設けられてもよい。
【００３９】
以上、図面を参照して本考案の実施形態を説明したが、本考案は、図示した実施形態のものに限定されない。図示された実施形態に対して、本考案と同一の範囲内において、あるいは均等の範囲内において、種々の修正や変形を加えることが可能である。
【符号の説明】
【００４０】
１…装飾シート
１０…第１のシート
２０…ストーン
３０…接着部材
４０…第２のシート
【図１】
0003190698.tif 000003
【図２】
0003190698.tif 000004
【図３】
0003190698.tif 000005
【図４】
0003190698.tif 000006
【図５】
0003190698.tif 000007